(57)【要約】      （修正有）【課題】酵素粒子と香料と担体粒子を含む、複数の粒子を含む洗濯処理用の組成物、および粒子を形成するためのプロセスの提供。【解決手段】（ａ）４０〜９９重量％の担体と、（ｂ）０．０００１〜５重量％の酵素と、（ｃ）０．１〜２０重量％の香料と、を含む、複数の粒子９０を含む組成物であって、平均粒子質量は、１ｍｇ〜５０００ｇであり、質量の標準偏差は、３０ｍｇ未満である。前駆材料を提供する工程と、複数の孔６０を有する分配器３０を提供する工程と、前駆材料を孔に通過させる工程と、当該分配器の下に移動コンベア８０を提供する工程と、前駆材料を移動コンベア上に堆積させる工程と、前駆材料を冷却して粒子を形成する工程と、を含み、前駆体材料は、水溶性ポリマーと、０．０００１〜５重量％の酵素と、０．１〜２０重量％の香料と、を含み、前駆体材料は、７０℃未満の温度で提供される、粒子を形成するためのプロセス。【選択図】図１
2020183542.tif 000002
【特許請求の範囲】
【請求項１】
複数の粒子（９０）を含む組成物であって、前記粒子が、
前記粒子の４０重量％〜９９重量％の担体と、
前記粒子の０．０００１重量％〜５重量％の酵素と、
０．１重量％〜２０重量％の香料と、を含み、
前記複数の粒子が、１ｍｇ〜５０００ｇの平均粒子質量を有し、
前記複数の粒子が、３０ｍｇ未満の質量の標準偏差を有する、組成物。
【請求項２】
前記担体が、水溶性ポリマーである、請求項１に記載の組成物。
【請求項３】
前記粒子が、前記粒子の４５重量％超〜９９重量％の前記担体を含む、請求項１又は２に記載の組成物。
【請求項４】
前記粒子の各々が、５ｍｇ〜２００ｍｇの質量を有する、請求項１〜３のいずれか一項に記載の組成物。
【請求項５】
前記担体及び前記酵素が、互いと実質的に均一に混合される、請求項１〜４のいずれか一項に記載の組成物。
【請求項６】
前記酵素が、酵素微粒子である、請求項１〜５のいずれか一項に記載の組成物。
【請求項７】
前記粒子が、前記粒子の０．５重量％〜３重量％未満の前記酵素を含む、請求項１〜６のいずれか一項に記載の組成物。
【請求項８】
前記担体が、ポリエチレングリコールであり、前記ポリエチレングリコールが、２０００〜１３０００の重量平均分子量を有する、請求項１〜７のいずれか一項に記載の組成物。
【請求項９】
前記粒子が、０．１重量％〜１０重量％のカプセル封入香料を含む、請求項１〜８のいずれか一項に記載の組成物。
【請求項１０】
前記担体が、スクロース、スクロースベントナイト、水溶性有機アルカリ金属塩、水溶性無機アルカリ土類金属塩、水溶性有機アルカリ土類金属塩、水溶性炭水化物、水溶性ケイ酸塩、水溶性尿素、デンプン、粘土、水不溶性ケイ酸塩、クエン酸カルボキシメチルセルロース、脂肪酸、脂肪族アルコール、水素化獣脂のグリセリルジエステル、グリセロール、ポリエチレングリコール、及びこれらの組み合わせからなる群から選択される、請求項１〜７及び９のいずれか一項に記載の組成物。
【請求項１１】
前記複数の粒子が、１０ｍｇ未満の質量を有する粒子を実質的に含まない、請求項１〜１０のいずれか一項に記載の組成物。
【請求項１２】
請求項１〜１１のいずれか一項に記載の粒子を形成するためのプロセスであって、
前駆材料（２）を提供する工程と、
複数の孔（６０）を有する分配器（３０）を提供する工程と、
前記前駆材料を前記孔に通過させる工程と、
前記分配器の下に移動コンベア（８０）を提供する工程と、
前記前駆材料を前記移動コンベア上に堆積させる工程と、
前記前駆材料を冷却して、前記粒子を形成する工程と、を含み、
前記前駆体材料が、水溶性ポリマーと、前記前駆体材料の０．０００１重量％〜５重量％の酵素と、０．１重量％〜２０重量％の香料と、を含み、
前記前駆材料が、７０℃未満の温度で提供される、プロセス。
【請求項１３】
前記前駆材料が、ポリエチレングリコールを含み、前記ポリエチレングリコールが、２０００〜１３０００の重量平均分子量を有する、請求項１２に記載のプロセス。
【請求項１４】
請求項１〜１１のいずれか一項に記載の粒子を用いて洗濯物を処理するためのプロセスであって、
ある投入量の前記粒子を投入カップ内に配置する工程と、
前記投入量の前記粒子を洗濯機に分注する工程と、を含み、
前記粒子の各々が、１ｍｇ〜５グラムの質量を有する、プロセス。
【請求項１５】
前記担体が、ポリエチレングリコールであり、前記ポリエチレングリコールが、２０００〜１３０００の重量平均分子量を有する、段落Ｎ又はＯに記載のプロセス。
【発明の詳細な説明】
【技術分野】
【０００１】
微粒子洗濯添加剤。
【背景技術】
【０００２】
洗濯洗剤の消費者は、衣服及び家庭用布地の手入れで使用するテクノロジーをカスタマイズすることができることを楽しむ。これは、近代的な洗濯機で選択するサイクル及びバリエーションの膨大な数の選択肢、前処理及び洗浄添加剤の多様性、並びに市場で選択する洗濯処理組成物の多様性によって明らかである。更に、消費者は、洗浄水に送達される洗濯処理組成物の量をカスタマイズすることができることも楽しむ。
【０００３】
酵素は、消費者に優れた利点を提供することができる洗濯処理剤である。酵素は、洗濯用製品における一次及び二次洗浄力の性能を高めることが広く知られている。酵素は、染み除去、白色度、色ケア、及び布地ケアを提供することができる。典型的には、酵素は、液体又は粉末洗剤組成物の単一の構成成分として提供される。酵素のレベルは、消費者によってより多い又はより少ない洗濯処理組成物を使用することによってのみカスタマイズされ得る。したがって、酵素レベルのカスタマイズを達成するために、消費者はまた、香料、漂白剤、光沢剤、界面活性剤、柔軟剤、感触剤などの他の有益剤、及び完全に配合された洗濯洗剤製品中で一般的に提供される他の有益剤の対応する増加又は減少を受け入れる必要もある。これらの他の有益剤のレベルは、それらが経験する満足を与えないか、又は機能しない程度まで増加又は減少させられる可能性がある。
【０００４】
洗剤組成物中で一般的に用いられるいくつかの酵素は、互いに不相溶性である。つまり、特定の酵素の存在により、別の酵素の活性が低下する可能性がある。異なる酵素は、洗濯洗剤中で異なる機能を果たし得る。例えば、ある酵素は、タンパク質系の染みを除去するのに特に有効であり得、別の酵素は、毛玉の除去による布地の色回復に特に有効であり得る。不相溶性酵素を含有する洗濯洗剤組成物を提供することは、問題があり得る。
【０００５】
酵素を独立型の微粒子製品として提供することは、そのような酵素が利用可能である粒径が好都合に取り扱われるにはあまりに小さく、小さい粒子が不必要に空中浮遊するため、困難であり得る。したがって、染みを処理し、布地に色を回復させるために消費者によって好都合に使用され得る配合物又は製品中で酵素を提供することは、困難である。
【０００６】
これらの制限を考慮に入れて、洗濯水に送達される酵素の量を好都合に制御する能力を消費者に提供する、酵素を含有する微粒子組成物に対する対処されていない必要性が引き続き存在する。
【発明の概要】
【発明が解決しようとする課題】
【０００７】
複数の粒子を含む組成物であって、当該粒子は、当該粒子の約４０重量％〜約９９重量％の担体と、当該粒子の約０．０００１重量％〜約５重量％の酵素と、約０．１重量％〜約２０重量％の香料と、を含み、当該複数の粒子は、約１ｍｇ〜約５０００ｇの平均粒子質量を有し、当該複数の粒子は、約３０ｍｇ未満の質量の標準偏差を有する。
【０００８】
粒子を形成するためのプロセスであって、前駆材料を提供する工程と、
複数の孔を有する分配器を提供する工程と、当該前駆材料を当該孔に通過させる工程と、当該分配器の下に移動コンベアを提供する工程と、
当該前駆材料を当該移動コンベア上に堆積させる工程と、当該前駆材料を冷却して複数の粒子を形成する工程と、を含み、当該前駆体材料は、水溶性ポリマーと、当該前駆体材料の約０．０００１重量％〜約５重量％の酵素と、約０．１重量％〜約２０重量％の香料とを含み、当該前駆材料は、約７０℃未満の温度で提供される。
【０００９】
洗濯物を処理するためのプロセスであって、当該粒子の約４０重量％〜約９９重量％の担体と、当該粒子の約０．０００１重量％〜約５重量％の酵素と、約０．１重量％〜約２０重量％の香料と、を含む粒子を提供する工程と、ある投入量の当該粒子を投入カップ内に配置する工程と、
当該投入量の当該粒子を洗濯機に分注する工程と、を含み、当該粒子の各々が、約１ｍｇ〜約５グラムの質量を有する。
【図面の簡単な説明】
【００１０】
【図１】粒子を形成するための装置である。
【発明を実施するための形態】
【００１１】
酵素は、織物を洗浄するために用いられる場合に複数の利点を提供することができる。酵素は、染み除去、色の回復、及び悪臭処理を提供することができる。酵素は、液体又は固体の形態で利用可能である。液体形態のケア酵素は、液体洗剤組成物中へ好都合に配合され得る。典型的には、液体洗剤組成物は、染みの除去を補助するのに役立つために複数の酵素を含む。異なる染み物質は、異なる酵素によって分解されやすい。例えば、アミラーゼは、デンプン系の染みを除去するのに役立つために有効であり得る。脂肪及び油性の染みは、リパーゼを適用することによってより容易に除去され得る。プロテアーゼ酵素は、タンパク質系の染みを除去するのに役立つことができる。また、セルラーゼ酵素は、微粒子状の汚れを除去し、綿の灰色化を低減し、かつピリングを低減するのに役立つことができる。
【００１２】
いくつかの酵素は、互いに不相溶性であり得る。例えば、プロテアーゼ酵素は、いくつかのセルラーゼ酵素の活性を低減し得る。したがって、プロテアーゼ及びセルラーゼの両方を含む液体洗剤組成物を配合することは困難であり得る。同様の相溶性問題は、異なる酵素が異なる粒子に分離された場合であっても、固体形態の酵素で生じる可能性がある。
【００１３】
固体形態の酵素の更なる問題は、粒子が使用中に空中浮遊するようになる可能性があることである。空中浮遊する酵素粒子は、環境刺激物であり得る。
【００１４】
酵素は、本明細書に記載されるように微粒子形態で提供され得る。粒子は、粒子の約４０重量％〜約９９重量％の担体と、当該粒子の約０．０００１〜約５重量％の酵素とを含むことができる。本明細書に開示される粒子は、酵素を含むことができる。本明細書に開示される粒子は、アミラーゼ、リパーゼ、プロテアーゼ、セルラーゼ、キシログルカナーゼ、ペクタートリアーゼ、ペルオキシダーゼ、マンナナーゼ、クチナーゼ、及びこれらの混合物からなる群から選択される酵素を含むことができる。粒子は、当該粒子の約０．００１重量％〜約５重量％の酵素を含むことができる。
【００１５】
複数の粒子は、約１ｍｇ〜約５０００ｍｇ、代替的に約５ｍｇ〜約１０００ｍｇ、代替的に約５ｍｇ〜約２００ｍｇ、代替的に約１０ｍｇ〜約１００ｍｇ、代替的に約２０ｍｇ〜約５０ｍｇ、代替的に約３５ｍｇ〜約４５ｍｇ、代替的に約３８ｍｇの平均粒子質量を有することができる。複数の粒子は、約３０ｍｇ未満、代替的に約１５ｍｇ未満、代替的に約５ｍｇ未満、代替的に約３ｍｇの質量の標準偏差を有することができる。上記範囲内の質量の平均粒子は、粒子が典型的な洗浄サイクル中に溶解することを可能にする、水中の溶解時間を提供することができる。理論によって拘束されることはないが、そのような質量の標準偏差を有する粒子が、より広い質量の標準偏差を有する粒子と比較して、より均一な水中の溶解時間を有することができると考えられる。粒子の質量の標準偏差が小さいほど、溶解時間はより均一になる。複数の粒子を形成する個々の粒子の質量は、所望の溶解時間を提供するように設定され得、それは、洗濯機における典型的な洗浄サイクルの長さの一部であってもよい。約９０００の重量平均分子量を有するポリエチレングリコールから形成される粒子は、約３８ｍｇの平均粒子質量及び約３ｍｇの質量の標準偏差を有することができる。
【００１６】
個々の粒子は、約０．００３ｃｍ３〜約５ｃｍ３の体積を有してよい。個々の粒子は、約０．００３ｃｍ３〜約１ｃｍ３の体積を有してよい。個々の粒子は、約０．００３ｃｍ３〜約０．５ｃｍ３の体積を有してよい。個々の粒子は、約０．００３ｃｍ３〜約０．２ｃｍ３の体積を有してよい。個々の粒子は、約０．００３ｃｍ３〜約０．１５ｃｍ３の体積を有してよい。より小さい粒子は、容器内の粒子のより良好な包装及び洗浄水中のより急速な溶解を提供すると考えられる。
【００１７】
組成物は、ＡＳＴＭ  Ｉｎｔｅｒｎａｔｉｏｎａｌ、ＡＳＴＭ  Ｅ１１−１３に規定されているように、ふるいＮｏ．１０上に保持される粒子を含むことができる。組成物は、約５０重量％を超える粒子がＡＳＴＭ  Ｉｎｔｅｒｎａｔｉｏｎａｌ、ＡＳＴＭ  Ｅ１１−１３に規定されているように、ふるいＮｏ．１０上に保持される、粒子を含むことができる。組成物は、約７０重量％を超える粒子がＡＳＴＭ  Ｉｎｔｅｒｎａｔｉｏｎａｌ、ＡＳＴＭ  Ｅ１１−１３に規定されているように、ふるいＮｏ．１０上に保持される、粒子を含むことができる。組成物は、約９０重量％を超える粒子がＡＳＴＭ  Ｉｎｔｅｒｎａｔｉｏｎａｌ、ＡＳＴＭ  Ｅ１１−１３に規定されているように、ふるいＮｏ．１０上に保持される、粒子を含むことができる。ふるいＮｏ．１０上に保持される粒子が、より小さい粒子よりも取り扱いが容易であり得るため、そのようにサイズ決定された粒子を提供することが望ましくあり得る。
【００１８】
組成物は、ＡＳＴＭ  Ｉｎｔｅｒｎａｔｉｏｎａｌ、ＡＳＴＭ  Ｅ１１−１３に規定されているように、ふるいＮｏ．６上に保持される粒子を含むことができる。組成物は、約５０重量％を超える粒子がＡＳＴＭ  Ｉｎｔｅｒｎａｔｉｏｎａｌ、ＡＳＴＭ  Ｅ１１−１３に規定されているように、ふるいＮｏ．６上に保持される、粒子を含むことができる。組成物は、約７０重量％を超える粒子がＡＳＴＭ  Ｉｎｔｅｒｎａｔｉｏｎａｌ、ＡＳＴＭ  Ｅ１１−１３に規定されているように、ふるいＮｏ．６上に保持される、粒子を含むことができる。組成物は、約９０重量％を超える粒子がＡＳＴＭ  Ｉｎｔｅｒｎａｔｉｏｎａｌ、ＡＳＴＭ  Ｅ１１−１３に規定されているように、ふるいＮｏ．６上に保持される、粒子を含むことができる。ふるいＮｏ．６上に保持される粒子が、より小さい粒子よりも取り扱いが容易であり得るため、そのようにサイズ決定された粒子を提供することが望ましくあり得る。
【００１９】
組成物は、公称ふるい目開きサイズ２２．６ｍｍを有するふるいを通過する粒子を含むことができる。組成物は、公称ふるい目開きサイズ２２．６ｍｍを有するふるいを通過し、かつ公称ふるい目開きサイズ０．８４１ｍｍを有するふるい上に保持される粒子を含むことができる。公称目開きサイズ２２．６ｍｍを有するふるい上に保持されるようなサイズを有する粒子は、一般的な洗浄サイクルにとっては多大すぎる溶解時間を有する傾向がある。公称ふるい目開きサイズ０．８４１ｍｍを有するふるいを通過するようなサイズを有する粒子は、好都合に取り扱うには小さすぎる可能性がある。上記の限界内のサイズを有する粒子は、溶解時間と粒子の取り扱いの容易さとの間の適切なバランスを示し得る。
【００２０】
本明細書に開示されるサイズを有する粒子は、それらが容器、投入カップ、又は他の装置から洗面器又は洗濯機に注入される際に、容易に空気浮遊しないように十分に大きくてもよい。更に、本明細書に開示されるそのような粒子は、容器から投入カップ内に容易かつ正確に注入され得る。したがって、そのような粒子によって、消費者が洗浄水に送達する酵素の量を制御することが容易になる。
【００２１】
複数の粒子は、洗濯機又は洗濯用洗面器に投入するための投入量を集合的に含んでもよい。粒子の単回投入量は、約１ｇ〜約２７ｇの粒子を含んでもよい。粒子の単回投入量は、約５ｇ〜約２７ｇ、代替的に約１３ｇ〜約２７ｇ、代替的に約１４ｇ〜約２０ｇ、代替的に約１５ｇ〜約１９ｇ、代替的に約１８ｇ〜約１９ｇ、代替的にこれらの組み合わせ、及び前述の範囲のうちのいずれかにおけるグラムの任意の整数又はグラムの整数の範囲を含んでもよい。投入量を構成することができる複数の粒子を形成する個々の粒子は、約１ｍｇ〜約５０００ｍｇ、代替的に約５ｍｇ〜約１０００ｍｇ、代替的に約５ｍｇ〜約２００ｍｇ、代替的に約１０ｍｇ〜約１００ｍｇ、代替的に約２０ｍｇ〜約５０ｍｇ、代替的に約３５ｍｇ〜約４５ｍｇ、代替的に約３８ｍｇ、代替的にこれらの組み合わせ、及び前述の範囲のうちのいずれかにおけるｍｇのあらゆる整数又は整数の範囲の質量を有することができる。複数の粒子は、異なるサイズ、形状、及び／又は質量を有する粒子で構成され得る。ある投入量中の粒子は、約１５ｍｍ未満の最大寸法を各々有することができる。ある投入量中の粒子の各々は、約１ｃｍ未満の最大寸法を有することができる。
【００２２】
本明細書に開示される粒子は、洗濯物を処理するために好都合に用いられ得る。プロセスの工程は、本明細書に開示される配合構成成分を含むそのような粒子を提供することであってもよい。ある投入量の粒子は、投入カップ内に配置され得る。投入カップは、粒子を含む容器の閉鎖部であってもよい。投入カップは、粒子を含む容器又はそのような容器の閉鎖部に取り外し可能かつ取り付け可能である、取り外し可能かつ取り付け可能な投入カップであってもよい。投入カップ内の粒子の投入量は、洗濯機に分注され得る。洗濯機に粒子を分注する工程は、洗濯機に粒子を注入するか、又は投入カップ及びその中に含まれる粒子を洗濯機内に配置することによって行われ得る。
【００２３】
担体
担体は、水溶性無機アルカリ金属塩、水溶性アルカリ土類金属塩、水溶性有機アルカリ金属塩、水溶性有機アルカリ土類金属塩、水溶性炭水化物、水溶性ケイ酸塩、水溶性尿素、及びこれらの任意の組み合わせからなる群から選択される物質であってよい、又はこれらを含んでよい。アルカリ金属塩は、例えば、リチウムの塩、ナトリウムの塩、及びカリウムの塩、並びにこれらの任意の組み合わせからなる群から選択されてよい。有用なアルカリ金属塩は、例えば、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。
【００２４】
アルカリ金属塩は、フッ化ナトリウム、塩化ナトリウム、臭化ナトリウム、ヨウ化ナトリウム、硫酸ナトリウム、重硫酸ナトリウム、リン酸ナトリウム、リン酸一水素ナトリウム、リン酸二水素ナトリウム、炭酸ナトリウム、炭酸水素ナトリウム、酢酸ナトリウム、クエン酸ナトリウム、乳酸ナトリウム、酒石酸ナトリウム、ケイ酸ナトリウム、アスコルビン酸ナトリウム、フッ化カリウム、塩化カリウム、臭化カリウム、ヨウ化カリウム、硫酸カリウム、硫酸水素カリウム、リン酸カリウム、リン酸一水素カリウム、リン酸二水素カリウム、炭酸カリウム、炭酸一水素カリウム、酢酸カリウム、クエン酸カリウム、乳酸カリウム、酒石酸カリウム、ケイ酸カリウム、カリウム、アスコルビン酸塩、及びこれらの組み合わせからなる群から選択されてよい。アルカリ土類金属塩は、マグネシウムの塩、カルシウムの塩など、及びこれらの組み合わせからなる群から選択されてよい。アルカリ土類金属塩は、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。アルカリ土類金属塩は、フッ化マグネシウム、塩化マグネシウム、臭化マグネシウム、ヨウ化マグネシウム、硫酸マグネシウム、リン酸マグネシウム、リン酸一水素マグネシウム、リン酸二水素マグネシウム、炭酸マグネシウム、炭酸一水素マグネシウム、酢酸マグネシウム、クエン酸マグネシウム、乳酸マグネシウム、酒石酸マグネシウム、ケイ酸マグネシウム、アスコルビン酸マグネシウム、フッ化カルシウム、塩化カルシウム、臭化カルシウム、ヨウ化カルシウム、硫酸カルシウム、リン酸カルシウム、リン酸一水素カルシウム、リン酸二水素カルシウム、炭酸カルシウム、炭酸一水素カルシウム、酢酸カルシウム、クエン酸カルシウム、乳酸カルシウム、酒石酸カルシウム、ケイ酸カルシウム、アスコルビン酸カルシウム、及びこれらの組み合わせからなる群から選択されてよい。無機アルカリ金属塩及び無機アルカリ土類金属塩などの無機塩は、炭素を含まない。有機アルカリ金属塩及び有機アルカリ土類金属塩などの有機塩は、炭素を含む。有機塩は、アルカリ金属塩又はソルビン酸のアルカリ土類金属塩（すなわち、ソルビン酸塩（asorbate））であってよい。ソルビン酸塩は、ソルビン酸ナトリウム、ソルビン酸カリウム、ソルビン酸マグネシウム、ソルビン酸カルシウム、及びこれらの組み合わせからなる群から選択されてよい。
【００２５】
担体は、水溶性無機アルカリ金属塩、水溶性有機アルカリ金属塩、水溶性無機アルカリ土類金属塩、水溶性有機アルカリ土類金属塩、水溶性炭水化物、水溶性ケイ酸塩、水溶性尿素、及びこれらの組み合わせからなる群から選択される物質であってよい、又はこれらを含んでよい。担体、つまり水溶性担体（water soluble-soluble carrier）は、塩化ナトリウム、塩化カリウム、塩化カルシウム、塩化マグネシウム、硫酸ナトリウム、硫酸カリウム、硫酸マグネシウム、炭酸ナトリウム、炭酸カリウム、炭酸水素ナトリウム、炭酸水素カリウム、酢酸ナトリウム、酢酸カリウム、クエン酸ナトリウム、クエン酸カリウム、酒石酸ナトリウム、酒石酸カリウム、酒石酸カリウムナトリウム、乳酸カルシウム、水ガラス、ケイ酸ナトリウム、ケイ酸カリウム、デキストロース、フルクトース、ガラクトース、イソグルコース、グルコース、スクロース、ラフィノース、イソマルト、キシリトール、氷砂糖、ざらめ糖、及びこれらの組み合わせからなる群から選択されてよい。一実施形態では、担体、つまり水溶性担体は、塩化ナトリウムであってよい。一実施形態では、担体、つまり水溶性担体は、食卓塩であってよい。
【００２６】
担体は、重炭酸ナトリウム、硫酸ナトリウム、炭酸ナトリウム、ギ酸ナトリウム、ギ酸カルシウム、塩化ナトリウム、スクロース、マルトデキストリン、コーンシロップ固体、コーンスターチ、小麦澱粉、米澱粉、ジャガイモ澱粉、タピオカ澱粉、粘土、ケイ酸塩、クエン酸カルボキシメチルセルロース、脂肪酸、脂肪族アルコール、水素化獣脂のグリセリルジエステル、グリセロール、及びこれらの組み合わせからなる群から選択される物質であってよい、又はこれらを含んでよい。
【００２７】
担体は、水溶性有機アルカリ金属塩、水溶性無機アルカリ土類金属塩、水溶性有機アルカリ土類金属塩、水溶性炭水化物、水溶性ケイ酸塩、水溶性尿素、デンプン、粘土、水不溶性ケイ酸塩、クエン酸カルボキシメチルセルロース、脂肪酸、脂肪族アルコール、水素化獣脂のグリセリルジエステル、グリセロール、ポリエチレングリコール、及びこれらの組み合わせからなる群から選択されてよい。
【００２８】
担体は、二糖類、多糖類、ケイ酸塩、ゼオライト、炭酸塩、硫酸塩、クエン酸塩、及びこれらの組み合わせからなる群から選択され得る。
【００２９】
水溶性ポリマーの例としては、限定されないが、ポリビニルアルコール（ＰＶＡ）、変性ＰＶＡ；ポリビニルピロリドン；ＰＶＡ／ポリビニルピロリドン及びＰＶＡ／ポリビニルアミンなどのＰＶＡコポリマー；部分加水分解されたポリ酢酸ビニル；ポリエチレンオキシドなどのポリアルキレンオキシド；ポリエチレングリコール；アクリルアミド；アクリル酸；セルロース；メチルセルロース、エチルセルロース及びプロピルセルロースなどのアルキルセルロース材料；セルロースエーテル；セルロースエステル；セルロースアミド；ポリ酢酸ビニル；ポリカルボン酸及び塩；ポリアミノ酸又はペプチド；ポリアミド、ポリアクリルアミド；マレイン酸／アクリル酸のコポリマー；デンプン、変性デンプンを含む多糖類；ゼラチン、アルギネート；キシログルカン；キシラン、グルクロノキシラン、アラビノキシラン、マンナン、グルコマンナン、及びガラクトグルコマンナンなどのその他のヘミセルロース系多糖類；並びにペクチン、キサンタン、及びカラギーナンなどの天然ガム、ローカストビーン、アラビア、トラガカント、並びにこれらの組み合わせが挙げられる。一実施形態では、ポリマーは、ポリアクリレート、特にスルホン化ポリアクリレート及び水溶性アクリレートコポリマー；並びにアルキルヒドロキシセルロース系材料、例えばメチルセルロース、カルボキシメチルセルロースナトリウム、変性カルボキシメチルセルロース、デキストリン、エチルセルロース、プロピルセルロース、ヒドロキシエチルセルロース、ヒドロキシプロピルメチルセルロース、マルトデキストリン、ポリメタクリレートを含む。更に他の実施形態では、ポリマーは、ＰＶＡ；ＰＶＡコポリマー；ヒドロキシプロピルメチルセルロース（ＨＰＭＣ）；及びこれらの混合物を含む。
【００３０】
粒子は、粒子の約４０重量％〜約９９重量％の担体を含み得る。粒子は、粒子の約４５重量％〜約９９重量％の担体を含み得る。粒子は、粒子の約４５重量％〜約９２重量％の担体を含み得る。粒子は、粒子の約４０重量％〜約９９重量％の担体を含み得る。
【００３１】
担体は、ポリエチレングリコール（ＰＥＧ）であってよい。ＰＥＧは、粒子が上記質量範囲内にあるとき、洗浄サイクル中に溶解するのに十分水溶性であり得るため、粒子を作製するのに用いるための好都合な物質であり得る。更に、ＰＥＧは、溶融物として容易に処理され得る。ＰＥＧの溶融温度は、ＰＥＧの分子量の関数として変化し得る。ＰＥＧの溶融温度は、分子量及び分子量分布に応じて、ＰＥＧとケア酵素とを含む粒子がＰＥＧとケア酵素とを含む溶融物から形成されたとき、ケア酵素の活性が織物の色を回復させることができるのに十分高いままであるように、十分低くてもよい。
【００３２】
粒子は、約４０重量％超の、約２０００〜約１３０００の重量平均分子量を有するＰＥＧを含むことができる。ＰＥＧは比較的低コストであり、多くの異なる形状及びサイズに形成され、非カプセル封入香料の拡散を最小限に抑え、水によく溶解し得る。ＰＥＧは、様々な重量平均分子量となる。ＰＥＧの好適な重量平均分子量の範囲としては、約２，０００〜約１３，０００、約４，０００〜約１２，０００、代替的に約５，０００〜約１１，０００、代替的に約６，０００〜約１０，０００、代替的に約７，０００〜約９，０００、代替的にこれらの組み合わせが挙げられる。ＰＥＧは、例えば、ＰＬＵＲＩＯＬ  Ｅ  ８０００として、ＢＡＳＦから入手可能である。
【００３３】
粒子は、粒子の約４０重量％超のＰＥＧを含み得る。粒子は、粒子の約５０重量％超のＰＥＧを含み得る。粒子は、粒子の約６０重量％超のＰＥＧを含み得る。粒子は、組成物の約６５重量％〜約９９重量％のＰＥＧを含んでもよい。粒子は、組成物の約４０重量％〜約９９重量％のＰＥＧを含んでもよい。粒子は、組成物の約４５重量％〜約９９重量％のＰＥＧを含んでもよい。
【００３４】
代替的に、粒子は、約４０重量％〜約９０重量％未満、代替的に約４５重量％〜約７５重量％、代替的に約５０重量％〜約７０重量％、代替的にこれらを組み合わせたもの、及び前述の範囲のうちのいずれかにおけるあらゆる全百分率又は全百分率の範囲のＰＥＧを含んでもよい。
【００３５】
複数の粒子は、約１０ｍｇ未満の質量を有する粒子を実質的に含まなくてもよい。これは、粒子が空中浮遊する能力を制限するのに実用的であり得る。
【００３６】
用途に応じて、粒子は、粒子の約０．５重量％〜約５重量％の、グリセリン、ポリプロピレングリコール、ミリスチン酸イソプロピル、ジプロピレングリコール、１，２−プロパンジオール、及び２０００未満の重量平均分子量を有するＰＥＧ、並びにこれらの混合物からなる群から選択される平衡剤を含んでよい。平衡剤は、粒子が異なる配合物を有しても、同じ加工特徴を有する粒子を提供するために実用的であり得る。例えば、製品の２つの異なる香り変異形は、異なるレベルの香料を有してもよい。平衡剤を使用すると、ＰＥＧレベルは、各香り変異形において同一となり得、配合物は、平衡剤で平衡化され得る。これは、香り変異形についての配合物が同じレベルのＰＥＧを有し、同様の加工特徴を有し得るという点で、加工をより簡単にすることができる。
【００３７】
粒子は、酸化防止剤を含み得る。酸化防止剤は、製造してから使用するまでの期間に粒子の色又は臭いの安定性を促進することに役立ち得る。粒子は、約０．０１重量％〜約１重量％の酸化防止剤を含み得る。粒子は、約０．００１重量％〜約２重量％の酸化防止剤を含み得る。粒子は、約０．０１重量％〜約０．１重量％の酸化防止剤を含み得る。酸化防止剤は、ブチル化ヒドロキシトルエンであってよい。
【００３８】
酵素
粒子中の酵素は、ケア酵素、ヌクレアーゼ、及びこれらの組み合わせから選択される、粒子の０．０００１重量％〜約５重量％の酵素のレベルで提供され得る。粒子中の酵素は、ケア酵素、ヌクレアーゼ、及びこれらの組み合わせから選択される、粒子の０．００１重量％〜約５重量％の酵素のレベルで提供され得る。本明細書に開示される粒子中の酵素は、アミラーゼ、リパーゼ、プロテアーゼ、セルラーゼ、キシログルカナーゼ、ペクタートリアーゼ、ペルオキシダーゼ、マンナナーゼ、クチナーゼ、Ｐ−ニトロベンジルエステラーゼ、ヌクレアーゼ、及びこれらの混合物からなる群から選択される酵素であってもよい。粒子中の酵素は、粒子の０．０００１重量％〜約５重量％のレベルで提供され得る。粒子中の酵素は、粒子の０．００１重量％〜約５重量％のレベルで提供され得る。これらの酵素は、洗濯工程で使用される場合、染み除去、布地再生、及び悪臭の改善のうちの１つ以上を提供することができる。酵素はヌクレアーゼであってもよく、それは、布地と関連する悪臭を低減することができる。
【００３９】
ヌクレアーゼに関して、本明細書に開示されるように、粒子中にそのような酵素を提供することは、粒子が洗浄水中に溶解し、相当量の酵素を洗浄液中に放出するのに時間が必要とされるという点で実用的であり得る。この放出時間の遅延は、洗浄液中の界面活性剤及び他の構成成分が汚れを除去し始め、それにより、核酸を保護されていない状態のままにしておくことを可能にする。一旦十分な量で放出されると、ヌクレアーゼは、そのような核酸を標的とし、そのような核酸を含む染みを分解することができる。
【００４０】
酵素は、液体、固体、又は他の形態であってもよい。酵素は、担体と実質的に均一に混合され得る。実質的に均一に混合された構成成分は、完全に均質である必要はない。均質性の程度は、粒子を作製するために商業用途において当業者によって使用される混合プロセスによって提供され得るものであってもよい。
【００４１】
粒子の担体によって担持される酵素微粒子が本明細書で企図される。酵素微粒子は、酵素担体と、酵素担体中に分散された酵素とを有する。酵素微粒子は、担体と実質的に均一に混合され得る。したがって、担体内で実質的に均一に分散された酵素微粒子は、実質的に均一に混合されているとみなされ得る。担体と、担体と実質的に均一に混合された酵素微粒子とを含む粒子が具体的に本明細書で企図され、酵素微粒子は、酵素と、酵素担体とを含む。
【００４２】
酵素は、担体と実質的に均一に混合された液滴の形態の液体形態であってもよい。液体酵素は、担体中に分配又は分散され得る。
【００４３】
酵素担体は、硫酸ナトリウム、スクロース、デンプン、ポリビニルアルコール、セルロース、デキストリン、多分岐ポリアミン、及びこれらの混合物からなる群から選択され得る。有用な酵素担体は、硫酸ナトリウム、スクロース、デンプン、及びポリビニルアルコールを含むことができる。酵素担体は、セルロース、例えば、繊維状セルロース、デキストリン、及び硫酸ナトリウムを含むことができる。酵素担体は、多分岐ポリアミンを含むことができる。
【００４４】
ケア酵素は、本明細書に開示される粒子中に含めるのに実用的であり得る。ケア酵素は、織物の表面から毛羽立ち及び毛玉を除去することによって、布地に色を回復させる際に活性な酵素である。ケア酵素は、セルラーゼであってもよい。ケア酵素は、グリコシドヒドロラーゼファミリーの酵素であってもよい。グリコシドヒドロラーゼファミリーは、Ｇｌｙｃｏｇｅｎｏｍｉｃｓ  ｇｒｏｕｐ  ａｔ  Ａｒｃｈｉｔｅｃｔｕｒｅ  ｅｔ  Ｆｏｎｃｔｉｏｎ  ｄｅｓ  Ｍａｃｒｏｍｏｌｅｃｕｌｅｓ  Ｂｉｏｌｏｇｉｑｕｅｓ，Ｕｎｉｔｅ  Ｍｉｘｔｅ  ｄｅ  Ｒｅｃｈｅｒｃｈｅｓ  ＵＭＲ６０９８，ＣＮＲＳ，Ｕｎｉｖｅｒｓｉｔｅ  ｄｅ  Ｐｒｏｖｅｎｃｅ  Ｕｎｉｖｅｒｓｉｔｅ  ｄｅ  ｌａ  Ｍｅｄｉｔｅｒｒａｎｅｅによって開発された糖質関連酵素データベース（ＣＡＺｙ）の一部である、アミノ酸類似性に基づくグリコシドヒドロラーゼファミリー分類システムの任意のグリコシドヒドロラーゼファミリー（番号によって表記される）を意味する。
【００４５】
ケア酵素は、グリコシルヒドロラーゼファミリー４５の酵素であってもよい。グリコシドヒドロラーゼファミリー４５は、エンドグルカナーゼ（ＥＣ  ３．２．１．４）の反転酵素を含む。
【００４６】
ケア酵素は、色ケア効果を有するアルカリ性又は中性セルラーゼであるセルラーゼであってもよい。本発明に開示されるケア酵素は、約１７ｋＤａ〜約３０ｋＤａの分子量を有することができる。ケア酵素は、例えば、商品名Ｂｉｏｔｏｕｃｈ（Ｒ）ＮＣＤ、ＤＣＣ、及びＤＣＬ（ＡＢ  Ｅｎｚｙｍｅｓ，Ｄａｒｍｓｔａｄｔ，Ｇｅｒｍａｎｙ）で販売されているエンドグルカナーゼであってもよい。他の好ましい市販のセルラーゼとしては、ＣＥＬＬＵＺＹＭＥ、ＣＡＲＥＺＹＭＥ、及びＲＥＮＯＺＹＭＥ（Ｎｏｖｏｚｙｍｅｓ  Ａ  Ｓ）、ＣＬＡＺＩＮＡＳＥ、ＰＵＲＡＤＡＸ  ＨＡ、ＰＵＲＡＤＡＸ（Ｒ）ＥＧ−Ｌ、及びＰＵＲＡＤＡｘ（Ｒ）ＨＡ（Ｇｅｎｅｎｃｏｒ  Ｉｎｔｅｒｎａｔｉｏｎａｌ  Ｉｎｃ．）、並びにＫＡＣ−５００（Ｂ）、ＫＡＣ（Ｒ）−５００（Ｂ）（Ｋａｏ  Ｃｏｒｐｏｒａｔｉｏｎ）が挙げられる。
【００４７】
抗ピリング性の外観効果を提供することができる他のケア酵素としては、クチナーゼ（クチンヒドロラーゼ−ＥＣ  ３．１．１．７４）及びＰ−ニトロベンジルエステラーゼ（カルボキシルエステラーゼ−ＥＣ  ３．１．１．１）が挙げられる。クチナーゼの例は、欧州特許第２７６７５８２（Ａ１）号において見ることができる。Ｐ−ニトロベンジルエステラーゼの例は、国際公開第２００７／０１７１８１号及び国際公開第２０１５／１３５７５７号において見ることができる。
【００４８】
提供される場合、ケア酵素は、グリコシルヒドロラーゼファミリー４５、クチナーゼ、及びＰ−ニトロベンジルエステラーゼ、並びにこれらの混合物からなる群から選択され得る。
【００４９】
粒子は、粒子の約４０重量％〜約９９重量％の担体と、粒子の約０．０００１重量％〜約５重量％のケア酵素とを含むことができる。粒子は、粒子の約０．５重量％〜３重量％未満のケア酵素を含むことができる。
【００５０】
粒子は、粒子の約４０重量％〜約９９重量％の担体と、当該粒子の約０．０００１重量％〜約５重量％の酵素とを含むことができる。粒子は、粒子の約０．５重量％〜３重量％未満の酵素を含むことができる。
【００５１】
粒子は、粒子の約４０重量％〜約９９重量％の担体と、ケア酵素、ヌクレアーゼ、及びこれらの組み合わせからなる群から選択される、当該粒子の約０．０００１重量％〜約５重量％の酵素とを含むことができる。粒子は、ケア酵素、ヌクレアーゼ、及びこれらの組み合わせから選択される、粒子の約０．５重量％〜３重量％未満の酵素を含むことができる。粒子は、アミラーゼ、リパーゼ、プロテアーゼ、セルラーゼ、キシログルカナーゼ、ペクタートリアーゼ、ペルオキシダーゼ、マンナナーゼ、クチナーゼ、Ｐ−ニトロベンジルエステラーゼ、ヌクレアーゼ、及びこれらの混合物からなる群から選択される、粒子の約０．５重量％〜３重量％未満の酵素を含むことができる。
【００５２】
本明細書に記載される個々の質量を有する粒径について、この酵素の重量分率は、洗濯機又は洗濯用洗面器に投入するための投入量を集合的に形成する複数の粒子が約１ｇ〜約２７ｇである場合に、複数の衣類の色を再生するために有効な量の酵素を提供することができる。
【００５３】
ヌクレアーゼ酵素は、核酸のヌクレオチドサブユニット間のホスホジエステル結合を切断することができる酵素である。本明細書におけるヌクレアーゼ酵素は、デオキシリボヌクレアーゼ若しくはリボヌクレアーゼ酵素、又はこれらの機能的断片であってもよい。機能的断片又は部分とは、ＤＮＡ骨格鎖におけるホスホジエステル結合の切断を触媒するヌクレアーゼ酵素の部分を意味し、したがって、触媒活性を保持する上記のヌクレアーゼタンパク質の領域である。したがって、それは、その機能が維持されている酵素及び／又は変異体及び／又は誘導体及び／又はホモログの切頭されているが、機能的なバージョンを含む。
【００５４】
ヌクレアーゼ酵素は、デオキシリボヌクレアーゼであってもよい。ヌクレアーゼ酵素は、クラスＥ．Ｃ．３．１．２１．ｘ（式中、ｘ＝１、２、３、４、５、６、７、８、又は９である）、Ｅ．Ｃ．３．１．２２．ｙ（式中、ｙ＝１、２、４、又は５である）、Ｅ．Ｃ．３．１．３０．ｚ（式中、ｚ＝１又は２である）、Ｅ．Ｃ．３．１．３１．１、及びこれらの混合物のうちのいずれかからなる群から選択されるデオキシリボヌクレアーゼであってもよい。
【００５５】
クラスＥ．Ｃ．３．１．２１．ｘのヌクレアーゼは、３’ヒドロキシルで切断して、以下のとおり５’ホスホモノエステルを遊離させる。
【００５６】
【化１】
2020183542.tif 000003
【００５７】
クラスＥ．Ｃ．３．１．２１．ｘ及びＥ．Ｃ．３．１．２１．ｘ（式中、ｘ＝１である）からの酵素ヌクレアーゼは、実用的であり得る。
【００５８】
クラスＥ．Ｃ．３．１．２２．ｙのヌクレアーゼは、５’ヒドロキシルで切断して、３’ホスホモノエステルを遊離させる。クラスＥ．Ｃ．３．１．３０．ｚの酵素は、ＤＮＡ及びＲＮＡの両方に作用して、５’−ホスホモノエステルを遊離させるので、実用的であり得る。クラスＥ．Ｃ．３．１．３１．２からの好適な例は、米国特許出願第２０１２／０１３５４９８（Ａ）号、例えば、その中の配列番号３に記載されている。このような酵素は、ｃ−ＬＥＣＴＡからＤＥＮＡＲＡＳＥ（登録商標）酵素として市販されている。
【００５９】
クラス３．１．３１．１からのヌクレアーゼ酵素は、３’ホスホモノエステルを生成する。
【００６０】
ヌクレアーゼ酵素は、微生物酵素を含むことができる。ヌクレアーゼ酵素は、真菌又は細菌起源であってよい。細菌ヌクレアーゼは、実用的であり得る。真菌ヌクレアーゼも同様に、実用的であり得る。
【００６１】
微生物ヌクレアーゼは、Ｂａｃｉｌｌｕｓ  ｌｉｃｈｅｎｉｆｏｒｍｉｓ又はＢａｃｉｌｌｕｓ  ｓｕｂｔｉｌｉｓの細菌ヌクレアーゼなどのＢａｃｉｌｌｕｓから得ることができる。実用的なヌクレアーゼは、Ｂａｃｉｌｌｕｓ  ｌｉｃｈｅｎｉｆｏｒｍｉｓ、好ましくはＥＩ−３４−６株から得ることができる。実用的なデオキシリボヌクレアーゼは、本明細書における配列番号１に規定されているＥＩ−３４−６株ｎｕｃＢデオキシリボヌクレアーゼに由来するＢａｃｉｌｌｕｓ  ｌｉｃｈｅｎｉｆｏｒｍｉｓの変異体、あるいは例えば、それに対して少なくとも７０％若しくは７５％若しくは８０％若しくは８５％若しくは９０％若しくは９５％、９６％、９７％、９８％、９９％、又は１００％同一であるその変異体である。
【００６２】
他の好適なヌクレアーゼは、本明細書における配列番号２に規定されているヌクレアーゼか、あるいは例えば、それに対して少なくとも７０％若しくは７５％若しくは８０％若しくは８５％若しくは９０％若しくは９５％、９６％、９７％、９８％、９９％、又は１００％同一であるその変異体を含む。他の好適なヌクレアーゼは、本明細書における配列番号３に規定されているヌクレアーゼか、あるいは例えば、それに対して少なくとも７０％若しくは７５％若しくは８０％若しくは８５％若しくは９０％若しくは９５％、９６％、９７％、９８％、９９％若しくは１００％同一であるその変異体を含む。
【００６３】
真菌ヌクレアーゼは、Ａｓｐｅｒｇｉｌｌｕｓ、例えば、Ａｓｐｅｒｇｉｌｌｕｓ  ｏｒｙｚａｅから得ることができる。好ましいヌクレアーゼは、本明細書における配列番号５に規定されているＡｓｐｅｒｇｉｌｌｕｓ  ｏｒｙｚａｅ、あるいは例えば、それに対して少なくとも６０％若しくは７０％若しくは７５％若しくは８０％若しくは８５％若しくは９０％若しくは９５％、９６％、９７％、９８％、９９％、又は１００％同一であるその変異体から得ることができる。
【００６４】
別の好適な真菌ヌクレアーゼは、Ｔｒｉｃｈｏｄｅｒｍａ、例えば、Ｔｒｉｃｈｏｄｅｒｍａ  ｈａｒｚｉａｎｕｍから得ることができる。実用的なヌクレアーゼは、本明細書における配列番号６に規定されているＴｒｉｃｈｏｄｅｒｍａ  ｈａｒｚｉａｎｕｍ、あるいは例えば、それに対して少なくとも６０％若しくは７０％若しくは７５％若しくは８０％若しくは８５％若しくは９０％若しくは９５％、９６％、９７％、９８％、９９％、又は１００％同一であるその変異体から得ることができる。
【００６５】
他の真菌ヌクレアーゼとしては、Ａｓｐｅｒｇｉｌｌｕｓ  ｏｒｙｚａｅ  ＲＩＢ４０、Ａｓｐｅｒｇｉｌｌｕｓ  ｏｒｙｚａｅ  ３．０４２、Ａｓｐｅｒｇｉｌｌｕｓ  ｆｌａｖｕｓ  ＮＲＲＬ３３５７、Ａｓｐｅｒｇｉｌｌｕｓ  ｐａｒａｓｉｔｉｃｕｓ  ＳＵ−１、Ａｓｐｅｒｇｉｌｌｕｓ  ｎｏｍｉｕｓ  ＮＲＲＬ１３１３７、Ｔｒｉｃｈｏｄｅｒｍａ  ｒｅｅｓｅｉ  ＱＭ６ａ、Ｔｒｉｃｈｏｄｅｒｍａ  ｖｉｒｅｎｓ  Ｇｖ２９−８、Ｏｉｄｉｏｄｅｎｄｒｏｎ  ｍａｉｕｓ  Ｚｎ、Ｍｅｔａｒｈｉｚｉｕｍ  ｇｕｉｚｈｏｕｅｎｓｅ  ＡＲＳＥＦ  ９７７、Ｍｅｔａｒｈｉｚｉｕｍ  ｍａｊｕｓ  ＡＲＳＥＦ  ２９７、Ｍｅｔａｒｈｉｚｉｕｍ  ｒｏｂｅｒｔｓｉｉ  ＡＲＳＥＦ  ２３、Ｍｅｔａｒｈｉｚｉｕｍ  ａｃｒｉｄｕｍ  ＣＱＭａ  １０２、Ｍｅｔａｒｈｉｚｉｕｍ  ｂｒｕｎｎｅｕｍ  ＡＲＳＥＦ  ３２９７、Ｍｅｔａｒｈｉｚｉｕｍ  ａｎｉｓｏｐｌｉａｅ、Ｃｏｌｌｅｔｏｔｒｉｃｈｕｍ  ｆｉｏｒｉｎｉａｅ  ＰＪ７、Ｃｏｌｌｅｔｏｔｒｉｃｈｕｍ  ｓｕｂｌｉｎｅｏｌａ、Ｔｒｉｃｈｏｄｅｒｍａ  ａｔｒｏｖｉｒｉｄｅ  ＩＭＩ  ２０６０４０、Ｔｏｌｙｐｏｃｌａｄｉｕｍ  ｏｐｈｉｏｇｌｏｓｓｏｉｄｅｓ  ＣＢＳ  １００２３９、Ｂｅａｕｖｅｒｉａ  ｂａｓｓｉａｎａ  ＡＲＳＥＦ  ２８６０、Ｃｏｌｌｅｔｏｔｒｉｃｈｕｍ  ｈｉｇｇｉｎｓｉａｎｕｍ、Ｈｉｒｓｕｔｅｌｌａ  ｍｉｎｎｅｓｏｔｅｎｓｉｓ  ３６０８、Ｓｃｅｄｏｓｐｏｒｉｕｍ  ａｐｉｏｓｐｅｒｍｕｍ、Ｐｈａｅｏｍｏｎｉｅｌｌａ  ｃｈｌａｍｙｄｏｓｐｏｒａ、Ｆｕｓａｒｉｕｍ  ｖｅｒｔｉｃｉｌｌｉｏｉｄｅｓ  ７６００、Ｆｕｓａｒｉｕｍ  ｏｘｙｓｐｏｒｕｍ分化型ｃｕｂｅｎｓｅ品種４、Ｃｏｌｌｅｔｏｔｒｉｃｈｕｍ  ｇｒａｍｉｎｉｃｏｌａ  Ｍ１．００１、Ｆｕｓａｒｉｕｍ  ｏｘｙｓｐｏｒｕｍ  ＦＯＳＣ  ３−ａ、Ｆｕｓａｒｉｕｍ  ａｖｅｎａｃｅｕｍ、Ｆｕｓａｒｉｕｍ  ｌａｎｇｓｅｔｈｉａｅ、Ｇｒｏｓｍａｎｎｉａ  ｃｌａｖｉｇｅｒａ  ｋｗ１４０７、Ｃｌａｖｉｃｅｐｓ  ｐｕｒｐｕｒｅａ  ２０．１、Ｖｅｒｔｉｃｉｌｌｉｕｍ  ｌｏｎｇｉｓｐｏｒｕｍ、Ｆｕｓａｒｉｕｍ  ｏｘｙｓｐｏｒｕｍ分化型ｃｕｂｅｎｓｅ品種１、Ｍａｇｎａｐｏｒｔｈｅ  ｏｒｙｚａｅ  ７０−１５、Ｂｅａｕｖｅｒｉａ  ｂａｓｓｉａｎａ  Ｄ１−５、Ｆｕｓａｒｉｕｍ  ｐｓｅｕｄｏｇｒａｍｉｎｅａｒｕｍ  ＣＳ３０９６、Ｎｅｏｎｅｃｔｒｉａ  ｄｉｔｉｓｓｉｍａ，Ｍａｇｎａｐｏｒｔｈｉｏｐｓｉｓ  ｐｏａｅ  ＡＴＣＣ  ６４４１１、Ｃｏｒｄｙｃｅｐｓ  ｍｉｌｉｔａｒｉｓ  ＣＭ０１、Ｍａｒｓｓｏｎｉｎａ  ｂｒｕｎｎｅａ分化型「ｍｕｌｔｉｇｅｒｍｔｕｂｉ」ＭＢ＿ｍ１、Ｄｉａｐｏｒｔｈｅ  ａｍｐｅｌｉｎａ、Ｍｅｔａｒｈｉｚｉｕｍ  ａｌｂｕｍ  ＡＲＳＥＦ  １９４１、Ｃｏｌｌｅｔｏｔｒｉｃｈｕｍ  ｇｌｏｅｏｓｐｏｒｉｏｉｄｅｓ  Ｎａｒａ  ｇｃ５、Ｍａｄｕｒｅｌｌａ  ｍｙｃｅｔｏｍａｔｉｓ、Ｍｅｔａｒｈｉｚｉｕｍ  ｂｒｕｎｎｅｕｍ  ＡＲＳＥＦ  ３２９７、Ｖｅｒｔｉｃｉｌｌｉｕｍ  ａｌｆａｌｆａｅ  ＶａＭｓ．１０２、Ｇａｅｕｍａｎｎｏｍｙｃｅｓ  ｇｒａｍｉｎｉｓ変種ｔｒｉｔｉｃｉ  Ｒ３−１１１ａ−１、Ｎｅｃｔｒｉａ  ｈａｅｍａｔｏｃｏｃｃａ  ｍｐＶＩ  ７７−１３−４、Ｖｅｒｔｉｃｉｌｌｉｕｍ  ｌｏｎｇｉｓｐｏｒｕｍ、Ｖｅｒｔｉｃｉｌｌｉｕｍ  ｄａｈｌｉａｅ  ＶｄＬｓ．１７、Ｔｏｒｒｕｂｉｅｌｌａ  ｈｅｍｉｐｔｅｒｉｇｅｎａ、Ｖｅｒｔｉｃｉｌｌｉｕｍ  ｌｏｎｇｉｓｐｏｒｕｍ、Ｖｅｒｔｉｃｉｌｌｉｕｍ  ｄａｈｌｉａｅ  ＶｄＬｓ．１７、Ｂｏｔｒｙｔｉｓ  ｃｉｎｅｒｅａ  Ｂ０５．１０、Ｃｈａｅｔｏｍｉｕｍ  ｇｌｏｂｏｓｕｍ  ＣＢＳ  １４８．５１、Ｍｅｔａｒｈｉｚｉｕｍ  ａｎｉｓｏｐｌｉａｅ、Ｓｔｅｍｐｈｙｌｉｕｍ  ｌｙｃｏｐｅｒｓｉｃｉ、Ｓｃｌｅｒｏｔｉｎｉａ  ｂｏｒｅａｌｉｓ  Ｆ−４１５７、Ｍｅｔａｒｈｉｚｉｕｍ  ｒｏｂｅｒｔｓｉｉ  ＡＲＳＥＦ  ２３、Ｍｙｃｅｌｉｏｐｈｔｈｏｒａ  ｔｈｅｒｍｏｐｈｉｌａ  ＡＴＣＣ  ４２４６４、Ｐｈａｅｏｓｐｈａｅｒｉａ  ｎｏｄｏｒｕｍ  ＳＮ１５、Ｐｈｉａｌｏｐｈｏｒａ  ａｔｔａｅ、Ｕｓｔｉｌａｇｉｎｏｉｄｅａ  ｖｉｒｅｎｓ、Ｄｉｐｌｏｄｉａ  ｓｅｒｉａｔａ、Ｏｐｈｉｏｓｔｏｍａ  ｐｉｃｅａｅ  ＵＡＭＨ  １１３４６、Ｐｓｅｕｄｏｇｙｍｎｏａｓｃｕｓ  ｐａｎｎｏｒｕｍ  ＶＫＭ  Ｆ−４５１５（ＦＷ−２６０７）、Ｂｉｐｏｌａｒｉｓ  ｏｒｙｚａｅ  ＡＴＣＣ  ４４５６０、Ｍｅｔａｒｈｉｚｉｕｍ  ｇｕｉｚｈｏｕｅｎｓｅ  ＡＲＳＥＦ  ９７７、Ｃｈａｅｔｏｍｉｕｍ  ｔｈｅｒｍｏｐｈｉｌｕｍ変種ｔｈｅｒｍｏｐｈｉｌｕｍ  ＤＳＭ  １４９５、Ｐｅｓｔａｌｏｔｉｏｐｓｉｓ  ｆｉｃｉ  Ｗ１０６−１、Ｂｉｐｏｌａｒｉｓ  ｚｅｉｃｏｌａ  ２６−Ｒ−１３、Ｓｅｔｏｓｐｈａｅｒｉａ  ｔｕｒｃｉｃａ  Ｅｔ２８Ａ、Ａｒｔｈｒｏｄｅｒｍａ  ｏｔａｅ  ＣＢＳ  １１３４８０、及びＰｙｒｅｎｏｐｈｏｒａ  ｔｒｉｔｉｃｉ−ｒｅｐｅｎｔｉｓ  Ｐｔ−１Ｃ−ＢＦＰのＤＮＡ配列によってコードされているヌクレアーゼが挙げられる。
【００６６】
ヌクレアーゼは、単離されたヌクレアーゼであってもよい。
【００６７】
ヌクレアーゼ酵素は、約０．０１ｐｐｍ〜約１０００ｐｐｍ、又は約０．０５若しくは約０．１ｐｐｍ〜約７５０若しくは約５００ｐｐｍのヌクレアーゼ酵素の量で洗濯水溶液中に存在し得る。
【００６８】
ヌクレアーゼは、バイオフィルム破壊効果を生じさせることもできる。
【００６９】
組成物は、Ｅ．Ｃ．３．２．１．５２からのβ−Ｎ−アセチルグルコサミニダーゼ酵素、好ましくは、配列番号４に対して少なくとも７０％、又は少なくとも７５％、又は少なくとも８０％、又は少なくとも８５％、又は少なくとも９０％、又は少なくとも９５％、又は少なくとも９６％、又は少なくとも９７％、又は少なくとも９８％、又は少なくとも９９％、又は少なくとも１００％の同一性を有する酵素を更に含むことができる。
【００７０】
染料
粒子は、染料を含んでもよい。染料としては、洗濯洗剤又は布地柔軟剤で一般的に使用される染料が挙げられ得る。布地処理組成物は、布地処理組成物の粒子の約０．１重量％未満、代替的に約０．００１重量％〜約０．１重量％、代替的に約０．０１重量％〜約０．０２重量％、代替的にこれらの組み合わせ、及び前述のあらゆる範囲内の任意の百分率又は百分率の範囲の染料を含んでもよい。好適な染料の例としては、限定されないが、ＬＩＱＵＩＴＩＮＴ  ＰＩＮＫ  ＡＭ、ＡＱＵＡ  ＡＳ  ＣＹＡＮ  １５及びＶＩＯＬＥＴ  ＦＬ（Ｍｉｌｌｉｋｅｎ  Ｃｈｅｍｉｃａｌ）が挙げられる。使用者が異なる香りを有する粒子の区別を補助することを目的として、染料を用いることは実用的であり得る。
【００７１】
香料
担体に加えて、粒子は、０．１重量％〜約２０重量％の香料を更に含むことができる。香料は、非カプセル封入香料、カプセル封入香料、香料送達技術によってもたらされた香料、又は他の方法でもたらされた香料であってよい。香料は、概して、米国特許第７，１８６，６８０号の第１０欄５６行〜第２５欄２２行に記載されている。粒子は、非カプセル封入香料を含む場合もあり、香料マイクロカプセルなどの香料担体を本質的に含まない。粒子は、香料担体材料（及びそれに含まれる香料）を含み得る。香料担体材料の例は、米国特許第７，１８６，６８０号の第２５欄２３行〜第３１欄７行に記載されている。香料担体材料の具体例としては、シクロデキストリン及びゼオライトを挙げることができる。
【００７２】
粒子は、粒子の約０．１重量％〜約２０重量％、代替的に約１重量％〜約１５重量％、代替的に約２重量％〜約１０重量％、代替的にこれらを組み合わせたもの及び前述のあらゆる範囲内の任意の全百分率の香料を含んでもよい。粒子は、粒子の約０．１重量％〜約６重量％の香料を含み得る。この香料は、非カプセル封入香料であるか、カプセル封入香料であってよい。
【００７３】
粒子は、香料担体を含まないか、又は実質的に含まなくてもよい。粒子は、粒子の約０．１重量％〜約２０重量％、代替的に約１重量％〜約１５重量％、代替的に約２重量％〜約１０重量％、代替的にこれらを組み合わせたもの及び前述のあらゆる範囲内の任意の全百分率の非カプセル封入香料を含んでもよい。
【００７４】
粒子は、非カプセル封入香料及び香料マイクロカプセルを含んでもよい。粒子は、粒子の約０．１重量％〜約２０重量％、代替的に約１重量％〜約１５重量％、代替的に約２重量％〜約１０重量％、代替的にこれらを組み合わせたもの、及び前述のあらゆる範囲内の任意の全百分率又は全百分率の範囲の非カプセル封入香料を含んでもよい。非カプセル封入香料のそのような濃度は、非カプセル封入香料を有する本明細書に開示の粒子のいずれにとっても適切であり得る。
【００７５】
粒子は、非カプセル封入香料及び香料マイクロカプセルを含んでもよいが、他の香料担体を含まないか、又は本質的に含まなくてもよい。粒子は、非カプセル封入香料及び香料マイクロカプセルを含んでもよく、他の香料担体を含まなくてもよい。
【００７６】
粒子は、カプセル封入香料を含み得る。カプセル封入香料は、複数の香料マイクロカプセルとして提供され得る。香料マイクロカプセルは、シェル内に密閉された香料オイルである。シェルは、香料コアの最大寸法未満の平均シェル厚を有し得る。香料マイクロカプセルは、破砕しやすい香料マイクロカプセルであってもよい。香料マイクロカプセルは、水分活性化香料マイクロカプセルであってよい。
【００７７】
香料マイクロカプセルは、メラミン／ホルムアルデヒドシェルを含んでもよい。香料マイクロカプセルは、Ａｐｐｌｅｔｏｎ、Ｑｕｅｓｔ  Ｉｎｔｅｒｎａｔｉｏｎａｌ、又はＩｎｔｅｒｎａｔｉｏｎａｌ  Ｆｌａｖｏｒ  ＆  Ｆｒａｇｒａｎｃｅｓ又は他の好適な供給元から得てもよい。香料マイクロカプセルのシェルは、香料マイクロカプセルの衣類への付着性を高めるためにポリマーでコーティングされてよい。このことは、粒子が布地処理組成物であるように設計されている場合に望ましい場合がある。香料マイクロカプセルは、米国特許出願公開第２００８／０３０５９８２号に記載されるものであってもよい。
【００７８】
粒子は、粒子の約０．１重量％〜約２０重量％、代替的に約０．１重量％〜約１０重量％、代替的に約１重量％〜約１５重量％、代替的に２重量％〜約１０重量％、代替的にこれらの組み合わせ、及び前述のあらゆる範囲内の任意の全百分率のカプセル封入香料を含むことができる。
【００７９】
粒子は、香料マイクロカプセルを含んでもよいが、非カプセル封入香料を含まないか、又は本質的に含まなくてもよい。粒子は、粒子の約０．１重量％〜約２０重量％、代替的に約１重量％〜約１５重量％、代替的に約２重量％〜約１０重量％、代替的にこれらを組み合わせたもの及び前述のあらゆる範囲内の任意の全百分率のカプセル封入香料を含んでもよい。
【００８０】
粒子を作製する方法
粒子を形成するための装置１を図１に示す。原材料は、ミキサー１０に提供される。ミキサー１０は、原材料の所望のレベルの混合及び／又は反応を可能にするのに十分な滞留時間にわたって、ミキサーに供給された大量の原材料を保持するのに十分な容量を有する。ミキサー１０を出る材料は、前駆材料２０である。前駆材料２０は、溶融物であってよい。ミキサー１０は、動的ミキサーであってもよい。動的ミキサーとは、ミキサーの内容物を混合するためにエネルギーが加えられるミキサーである。ミキサー１０は、ミキサー１０の内容物を混合する１つ以上のインペラを備えることができる。
【００８１】
ミキサー１０と分配器３０との間では、前駆材料２０は、供給管４０を通して運ばれ得る。供給管４０は、ミキサー１０と流体連通していてもよい。中間ミキサー５５は、ミキサー１０と分配器３０との間で供給管４０と流体連通して提供され得る。中間ミキサー５５は、ミキサー１０と分配器３０との間で供給管４０と流体連通している静的ミキサー５０であってもよい。静的ミキサー５０であってもよい中間ミキサー５５は、ミキサー１０の下流にあってもよい。換言すると、ミキサー１０が用いられる場合、ミキサー１０は、中間ミキサー５５又は静的ミキサー５５の上流にあってもよい。中間ミキサー５５は、静的ミキサー５０であってもよい。中間ミキサー５５は、ローターステーターミキサーであってよい。中間ミキサー５５は、コロイドミルであってよい。中間ミキサー５５は、駆動式インライン流体分散機であってよい。中間ミキサー５５は、ＩＫＡ（Ｗｉｌｍｉｎｇｔｏｎ，Ｎｏｒｔｈ  Ｃａｒｏｌｉｎａ，Ｕｎｉｔｅｄ  Ｓｔａｔｅｓ  ｏｆ  Ａｍｅｒｉｃａ）から入手可能なＵｌｔｒａ  Ｔｕｒｒａｘ分散機、Ｄｉｓｐａｘ−ｒｅａｃｔｏｒ分散機、Ｃｏｌｌｏｉｄ  Ｍｉｌ  ＭＫ、又はＣｏｎｅ  Ｍｉｌｌ  ＭＫＯであってよい。中間ミキサー５５は、有孔ディスクミル、歯付きコロイドミル、又はＦｒｙｍａＫｏｒｕｍａ（Ｒｈｅｉｎｆｅｌｄｅｎ，Ｓｗｉｔｚｅｒｌａｎｄ）から入手可能なＤＩＬインラインホモジナイザーであってよい。
【００８２】
分配器３０は、複数の孔６０を備えて設けられてよい。前駆材料２０は、孔６０を通過することができる。前駆材料２０は、孔６０を通過した後、分配器３０の下に設けられている移動コンベア８０上に堆積され得る。コンベア８０は、分配器３０に対して平行移動可能なものであり得る。
【００８３】
前駆材料２０は、移動コンベア８０上で冷却されて、複数の固形粒子９０を形成し得る。冷却は、周囲冷却によってもたらされ得る。任意に、冷却は、コンベア８０の下側に常温水又は冷水を吹き付けることによってもたらされてよい。
【００８４】
粒子９０が十分に凝集性になったならば、粒子９０は、更なる加工及び又はパッケージングのために、コンベア８０からコンベア８０下流にある加工装置に移されてよい。
【００８５】
水溶性ポリマーである担体を含む粒子は、非限定的な例として、最終的に粒子を形成する組成物の溶融物から粒子を形成することによって作製され得る。回転形成プロセスは、ポリエチレングリコールを担体材料として含む粒子を作製するのに実用的であり得る。粒子を形成するための他のプロセスもまた好適であり得る。
【００８６】
粒子を形成するためのプロセスは、前駆材料を提供する工程を含むことができる。前駆材料は、最終的に粒子を形成する組成物の溶融物であってもよい。前駆材料は、提供される分配器の孔に通され得る。分配器は、複数の孔を有することができる。分配器の下には移動コンベアが提供され得る。前駆材料は、移動コンベア上に堆積され得る。堆積された前駆材料は冷却されて、複数の粒子を形成することができる。冷却は、複数の粒子を形成するために、周囲冷却、又は堆積された前駆材料から熱が除去される冷却であってもよい。
【００８７】
酵素の活性を維持するのに役立つために、好適な粒子が形成されることを可能にする可能な限り低い温度の前駆材料を提供することが望ましくあり得る。前駆材料は、約７０℃未満の温度で提供され得る。前駆材料は、前駆材料の融点と約７０℃との間の温度で提供され得る。
【００８８】
回転形成は、溶融物から粒子を形成するための実用的なプロセスであり得る。１つの好適な回転形成デバイスは、７５０ｍｍの幅及び１０ｍの長さのベルトを有するＳａｎｄｖｉｋ  ＲＯＴＯＦＯＲＭ  ３０００である。回転形成デバイスの分配器は、回転シリンダーである。シリンダーは、機械横方向に１０ｍｍ間隔、及び機械方向に９．３５ｍｍ間隔に設定した直径２ｍｍの孔を有することができる。シリンダーは、ベルトの上約３ｍｍに設定され得る。ベルト速度及びシリンダーの回転速度は、約１０ｍ／分に設定され得る。
【００８９】
前駆材料は、ミキサーから提供され得る。前駆材料は、ミキサーからプレート及びフレーム熱交換器セットを通して送り込まれて、出口温度を制御することができる。
【００９０】
前駆材料は、バッチ又は連続ミキサーで調製され得る。溶融担体材料が提供され得、粒子の他の成分が溶融担体と混合され得る。
【００９１】
粒子はまた、他のアプローチを使用しても作製され得る。例えば、造粒又はプレス凝集が適切であり得る。造粒において、前駆材料は、回転混合ツールによって圧縮及び均質化され、造粒されて粒子を形成する。実質的に水を含まない前駆材料について、多種多様なサイズの粒子が作製され得る。
【００９２】
プレス凝集において、前駆材料は、圧力下及び剪断力の作用下で圧縮及び可塑化され、均質化され、次いで形成／成形プロセスを介してプレス凝集機から排出される。プレス凝集技術としては、押出、ローラ圧縮、ペレット化、及び錠剤化が挙げられる。
【００９３】
前駆材料は、共回転又は二重反転スクリューを有する遊星ロール押出機又は二軸押出機に送達され得る。バレル及び押出造粒ヘッドは、所望の押出温度に加熱され得る。前駆材料は、圧力下で圧縮され、可塑化され、押出機ヘッド内の多穴押出ダイを通してストランドの形態で押出され、切断ブレードを使用してサイズ決定され得る。押出ヘッダの穴径は、適切にサイズ決定された粒子を提供するために選択され得る。押出された粒子は、球形機を使用して形状決定されて、球状の形状を有する粒子を提供することができる。
【００９４】
任意に、押出及び圧縮工程は、例えば、Ａｍａｎｄｕｓ  Ｋａｈｌ，Ｒｅｉｎｂｅｋ，Ｇｅｒｍａｎｙから入手可能なフラットダイペレット化プレスなどの低圧押出機で実施されてもよい。任意に、押出及び圧縮工程は、Ｈｏｓｏｋａｗａ  Ａｌｐｉｎｅ  Ａｋｔｉｅｎｇｅｓｅｌｌｓｃｈａｆｔ，Ａｕｇｓｂｕｒｇ，Ｇｅｒｍａｎｙから入手可能なＢＥＸＴＲＵＤＥＲなどの低圧押出機で実施されてもよい。
【００９５】
粒子は、ローラ圧縮を使用して作製され得る。ローラ圧縮において、前駆材料は、２つのローラ間に導入され、２つのローラ間の圧力下で転がされて、圧密物のシートを形成する。ローラは、前駆材料に対して高い線圧を提供する。ローラは、前駆材料の加工特徴に応じて、所望に応じて加熱又は冷却され得る。圧密物のシートは、切断によって小片に分割される。小片は、例えば、球形機を使用することによって更に形状決定され得る。
【００９６】
実施例／組み合わせ
Ａ．複数の粒子を含む組成物であって、当該粒子が、
当該粒子の約４０重量％〜約９９重量％の担体と、
当該粒子の約０．０００１重量％〜約５重量％の酵素と、
約０．１重量％〜約２０重量％の香料と、を含み、
当該複数の粒子が、約１ｍｇ〜約５０００ｇの平均粒子質量を有し、
当該複数の粒子が、約３０ｍｇ未満の質量の標準偏差を有する、組成物。
Ｂ．当該担体が、水溶性ポリマーである、段落Ａに記載の組成物。
Ｃ．当該粒子が、当該粒子の４５重量％超〜約９９重量％の当該担体を含む、段落Ａ又はＢに記載の組成物。
Ｄ．当該粒子の各々が、約５ｍｇ〜約２００ｍｇの質量を有する、段落Ａ〜Ｃのいずれか１つに記載の組成物。
Ｅ．当該担体及び当該酵素が、互いと実質的に均一に混合される、段落Ａ〜Ｄのいずれか１つに記載の組成物。
Ｆ．当該酵素が、酵素微粒子である、段落Ａ〜Ｅのいずれか１つに記載の組成物。
Ｇ．当該粒子が、当該粒子の約０．５重量％〜３重量％未満の当該酵素を含む、段落Ａ〜Ｆのいずれか１つに記載の組成物。
Ｈ．当該担体が、ポリエチレングリコールであり、当該ポリエチレングリコールが、約２０００〜約１３０００の重量平均分子量を有する、段落Ａ〜Ｇのいずれか１つに記載の組成物。
Ｉ．当該粒子が、約０．１重量％〜約１０重量％のカプセル封入香料を含む、段落Ａ〜Ｈのいずれか１つに記載の組成物。
Ｊ．当該担体が、スクロース、スクロースベントナイト、水溶性有機アルカリ金属塩、水溶性無機アルカリ土類金属塩、水溶性有機アルカリ土類金属塩、水溶性炭水化物、水溶性ケイ酸塩、水溶性尿素、デンプン、粘土、水不溶性ケイ酸塩、クエン酸カルボキシメチルセルロース、脂肪酸、脂肪族アルコール、水素化獣脂のグリセリルジエステル、グリセロール、ポリエチレングリコール、及びこれらの組み合わせからなる群から選択される、段落Ａ〜Ｉのいずれか１つに記載の組成物。
Ｋ．当該複数の粒子が、約１０ｍｇ未満の質量を有する粒子を実質的に含まない、段落Ａ〜Ｊのいずれか１つに記載の組成物。
Ｌ．粒子を形成するためのプロセスであって、
前駆材料を提供する工程と、
複数の孔を有する分配器を提供する工程と、
当該前駆材料を当該孔に通過させる工程と、
当該分配器の下に移動コンベアを提供する工程と、
当該前駆材料を当該移動コンベア上に堆積させる工程と、
当該前駆材料を冷却して、複数の粒子を形成する工程と、を含み、
当該前駆体材料は、水溶性ポリマーと、当該前駆材料の約０．０００１重量％〜約５重量％の酵素と、約０．１重量％〜約２０重量％の香料と、を含み、
当該前駆材料が、約７０℃未満の温度で提供される、プロセス。
Ｍ．当該前駆材料が、ポリエチレングリコールであり、当該ポリエチレングリコールが、約２０００〜約１３０００の重量平均分子量を有する、段落Ｌに記載のプロセス。
Ｎ．洗濯物を処理するためのプロセスであって、
当該粒子の約４０重量％〜約９９重量％の担体と、
当該粒子の約０．０００１重量％〜約５重量％の酵素と、
約０．１重量％〜約２０重量％の香料と、を含む粒子を提供する工程と、
ある投入量の当該粒子を投入カップ内に配置する工程と、
当該投入量の当該粒子を洗濯機に分注する工程と、を含み、
当該粒子の各々が、約１ｍｇ〜約５グラムの質量を有する、プロセス。
Ｏ．当該担体が、水溶性ポリマーである、段落Ｎに記載のプロセス。
Ｐ．当該担体が、ポリエチレングリコールであり、当該ポリエチレングリコールが、約２０００〜約１３０００の重量平均分子量を有する、段落Ｎ又はＯに記載のプロセス。
Ｑ．当該複数の粒子が、約５ｍｇ〜約２００ｍｇの平均粒子質量を有し、
当該複数の粒子が、約３０ｍｇ未満の質量の標準偏差を有する、段落Ｎ〜Ｐのいずれか１つに記載のプロセス。
【００９７】
相互参照される又は関連する全ての特許又は特許出願、及び本願がその優先権又は利益を主張する全ての特許出願又は特許を含む、本願に引用される文献はいずれも、明示的に除外又は別の方法で限定されない限りにおいて、その全体が本明細書に参照により組み込まれる。いかなる文献の引用も、本明細書中で開示又は特許請求される任意の発明に対する先行技術であるとはみなされず、又はそれを単独で若しくは任意の他の参考文献と組み合わせたときに、そのような任意の発明を教示、示唆、又は開示するとはみなされない。更に、本文書における用語の任意の意味又は定義が、参照として組み込まれた文献内の同じ用語の任意の意味又は定義と矛盾する場合、本文書においてその用語に付与された意味又は定義が優先される。
【００９８】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020183542.tif 000004
【配列表】
2020183542000001.app
【手続補正書】
【提出日】令和2年7月22日(2020.7.22)
【手続補正１】
【補正対象書類名】明細書
【補正対象項目名】０００７
【補正方法】変更
【補正の内容】
【０００７】
複数の粒子を含む組成物であって、当該粒子は、当該粒子の約４０重量％〜約９９重量％の担体と、当該粒子の約０．０００１重量％〜約５重量％の酵素と、約０．１重量％〜約２０重量％の香料と、を含み、当該複数の粒子は、約１ｍｇ〜約５０００ｍｇの平均粒子質量を有し、当該複数の粒子は、約３０ｍｇ未満の質量の標準偏差を有する。
【手続補正２】
【補正対象書類名】特許請求の範囲
【補正対象項目名】全文
【補正方法】変更
【補正の内容】
【特許請求の範囲】
【請求項１】
複数の粒子（９０）を含む組成物であって、前記粒子が、
前記粒子の４０重量％〜９９重量％の担体と、
前記粒子の０．０００１重量％〜５重量％の酵素と、
０．１重量％〜２０重量％の香料と、を含み、
前記複数の粒子が、１ｍｇ〜５０００ｍｇの平均粒子質量を有し、
前記複数の粒子が、３０ｍｇ未満の質量の標準偏差を有する、組成物。
【請求項２】
前記担体が、水溶性ポリマーである、請求項１に記載の組成物。
【請求項３】
前記粒子が、前記粒子の４５重量％超〜９９重量％の前記担体を含む、請求項１又は２に記載の組成物。
【請求項４】
前記粒子の各々が、５ｍｇ〜２００ｍｇの質量を有する、請求項１〜３のいずれか一項に記載の組成物。
【請求項５】
前記担体及び前記酵素が、互いと均一に混合される、請求項１〜４のいずれか一項に記載の組成物。
【請求項６】
前記酵素が、酵素微粒子である、請求項１〜５のいずれか一項に記載の組成物。
【請求項７】
前記粒子が、前記粒子の０．５重量％〜３重量％未満の前記酵素を含む、請求項１〜６のいずれか一項に記載の組成物。
【請求項８】
前記担体が、ポリエチレングリコールであり、前記ポリエチレングリコールが、２０００〜１３０００の重量平均分子量を有する、請求項１〜７のいずれか一項に記載の組成物。
【請求項９】
前記粒子が、０．１重量％〜１０重量％のカプセル封入香料を含む、請求項１〜８のいずれか一項に記載の組成物。
【請求項１０】
前記担体が、スクロース、スクロースベントナイト、水溶性有機アルカリ金属塩、水溶性無機アルカリ土類金属塩、水溶性有機アルカリ土類金属塩、水溶性炭水化物、水溶性ケイ酸塩、水溶性尿素、デンプン、粘土、水不溶性ケイ酸塩、クエン酸カルボキシメチルセルロース、脂肪酸、脂肪族アルコール、水素化獣脂のグリセリルジエステル、グリセロール、ポリエチレングリコール、及びこれらの組み合わせからなる群から選択される、請求項１〜７及び９のいずれか一項に記載の組成物。
【請求項１１】
前記複数の粒子が、１０ｍｇ未満の質量を有する粒子を含まない、請求項１〜１０のいずれか一項に記載の組成物。
【請求項１２】
請求項１〜１１のいずれか一項に記載の粒子を形成するためのプロセスであって、
前駆材料（２）を提供する工程と、
複数の孔（６０）を有する分配器（３０）を提供する工程と、
前記前駆材料を前記孔に通過させる工程と、
前記分配器の下に移動コンベア（８０）を提供する工程と、
前記前駆材料を前記移動コンベア上に堆積させる工程と、
前記前駆材料を冷却して、前記粒子を形成する工程と、を含み、
前記前駆体材料が、水溶性ポリマーと、前記前駆体材料の０．０００１重量％〜５重量％の酵素と、０．１重量％〜２０重量％の香料と、を含み、
前記前駆材料が、７０℃未満の温度で提供される、プロセス。
【請求項１３】
前記前駆材料が、ポリエチレングリコールを含み、前記ポリエチレングリコールが、２０００〜１３０００の重量平均分子量を有する、請求項１２に記載のプロセス。
【請求項１４】
請求項１〜１１のいずれか一項に記載の粒子を用いて洗濯物を処理するためのプロセスであって、
ある投入量の前記粒子を投入カップ内に配置する工程と、
前記投入量の前記粒子を洗濯機に分注する工程と、を含み、
前記粒子の各々が、１ｍｇ〜５グラムの質量を有する、プロセス。
【請求項１５】
前記担体が、ポリエチレングリコールであり、前記ポリエチレングリコールが、２０００〜１３０００の重量平均分子量を有する、請求項１４に記載のプロセス。
【外国語明細書】
2020183542.tif 000005
2020183542.tif 000006
2020183542.tif 000007
2020183542.tif 000008
2020183542.tif 000009
2020183542.tif 000010
2020183542.tif 000011
2020183542.tif 000012
2020183542.tif 000013
2020183542.tif 000014
2020183542.tif 000015
2020183542.tif 000016
2020183542.tif 000017
2020183542.tif 000018
2020183542.tif 000019
2020183542.tif 000020
2020183542.tif 000021
2020183542.tif 000022
2020183542.tif 000023
2020183542.tif 000024
2020183542.tif 000025
2020183542.tif 000026
2020183542.tif 000027
2020183542.tif 000028
2020183542.tif 000029
2020183542.tif 000030
2020183542.tif 000031
2020183542.tif 000032
2020183542.tif 000033
2020183542.tif 000034
2020183542.tif 000035
2020183542.tif 000036
2020183542.tif 000037
2020183542.tif 000038